(57)【要約】【課題】  逆梁が設置されたパネルゾーンに高強度の閉鎖型のフープ筋を設置することができる柱と梁の接合方法を提供することである。【解決手段】  柱と梁の接合方法は、柱主筋１の上端がパネルゾーンに位置する高さの柱鉄筋２を柱型枠３内に設置して柱コンクリート４を打設し、該柱型枠３にハーフプレキャストコンクリート造の順梁５の端部を設置するとともに、該順梁５と直交したフルプレキャストコンクリート造の逆梁７の端部を前記柱型枠３に対向設置して上下の梁主筋８、９をパネルゾーンで接合した後、柱主筋１の上端と逆梁７の上側の梁主筋８との間にあいた隙間１０から閉鎖型のフープ筋１１を柱主筋１に差し込んだ後、梁床コンクリート１４を打設して、下階の柱鉄筋２に上階の柱鉄筋１５を接合することである。【選択図】図１
2006193942.tif 000002
【特許請求の範囲】
【請求項１】
柱主筋の上端がパネルゾーンに位置する高さの柱鉄筋を柱型枠内に設置して柱コンクリートを打設し、該柱型枠にハーフプレキャストコンクリート造の順梁の端部を設置するとともに、該順梁と直交したフルプレキャストコンクリート造の逆梁の端部を前記柱型枠に対向設置して上下の梁主筋をパネルゾーンで接合した後、柱主筋の上端と逆梁の上側の梁主筋との間にあいた隙間から閉鎖型のフープ筋を柱主筋に差し込んだ後、梁床コンクリートを打設して、下階の柱鉄筋に上階の柱鉄筋を接合することを特徴とする柱と梁の接合方法。
【請求項２】
閉鎖型のフープ筋は高強度鉄筋であることを特徴とする請求項１に記載の柱と梁の接合方法。
【発明の詳細な説明】
【技術分野】
【０００１】
本発明は柱と梁の接合方法に関するものである。
【背景技術】
【０００２】
従来、逆梁工法における柱と梁の接合方法は、図６および図７に示すように、柱主筋１８の上端がパネルゾーンから上方に位置する高さの柱鉄筋１９を柱型枠２０内に設置して柱コンクリート２１を打設した後、該柱型枠２０にハーフプレキャストコンクリート造の順梁２２の端部を設置するとともに、柱主筋１８に割りフープ筋２３を設置して溶接し、前記順梁２２と直交したフルプレキャストコンクリート造の逆梁２４の端部を柱型枠２０に対向設置して上下の梁主筋２５、２６をパネルゾーンで接合した後、梁床コンクリート２７を打設して、下階の柱鉄筋１６に上階の柱鉄筋２８を接合して行われている。また、この他の柱と梁の接合方法として、例えば特開２００４−２９３１８０号公報の発明が知られている。
【特許文献１】特開２００４−２９３１８０号公報
【発明の開示】
【発明が解決しようとする課題】
【０００３】
しかし、上記の柱と梁の接合方法は、パネルゾーンに閉鎖型のフープ筋が挿入できないため、割りフープ筋を溶接して設置している。この割フープ筋は高強度鉄筋を使用できないため、普通鉄筋で本数が増えるという問題があった。
【０００４】
本発明は、上記のような問題に鑑みてなされたものであり、その目的は、逆梁が設置されたパネルゾーンに高強度の閉鎖型のフープ筋を設置することができる柱と梁の接合方法を提供することである。
【課題を解決するための手段】
【０００５】
以上の課題を解決するための柱と梁の接合方法は、柱主筋の上端がパネルゾーンに位置する高さの柱鉄筋を柱型枠内に設置して柱コンクリートを打設し、該柱型枠にハーフプレキャストコンクリート造の順梁の端部を設置するとともに、該順梁と直交したフルプレキャストコンクリート造の逆梁の端部を前記柱型枠に対向設置して上下の梁主筋をパネルゾーン内で接合した後、柱主筋の上端と逆梁の上側の梁主筋との間にあいた隙間から閉鎖型のフープ筋を柱主筋に差し込んだ後、梁床コンクリートを打設して、下階の柱鉄筋に上階の柱鉄筋を接合することを特徴とする。また閉鎖型のフープ筋は高強度鉄筋である。
【発明の効果】
【０００６】
柱主筋の上端がパネルゾーンに位置する高さの柱鉄筋を柱型枠内に設置して、柱鉄筋の継手位置をパネルゾーンにすることにより、梁主筋を接合した後でも柱主筋の上端と逆梁の上側の梁主筋との間にあいた隙間から高強度の閉鎖型のフープ筋を柱主筋に差し込むことができる。また仕口の柱フープを高強度の閉鎖型とすることで品質が安定する。また割フープ筋を繋ぐための溶接作業がなくなるので、雨天でも作業することができ工程の短縮化が図れる。梁をパネルゾーンジョイントとすることにより、現場施工の外壁タイル貼りが不要となり、タイルの剥落の危険がなくなる。
【発明を実施するための最良の形態】
【０００７】
以下、本発明の柱と梁の接合方法について説明する。この柱と梁の接合方法は鉄筋コンクリート構造物の逆梁工法におけるものであり、在来工法の柱に、ハーフプレキャストコンクリート造の順梁とフルプレキャストコンクリート造の逆梁とを接合するものである。
【０００８】
この柱と梁の接合方法は、図１に示すように、柱主筋１の上端がパネルゾーンに位置する高さの柱鉄筋２を適宜間隔ごとに設置し、この柱鉄筋２を囲むようにして柱型枠３を組立形成した後、この柱型枠３内に柱コンクリート４を打設する。
【０００９】
この柱鉄筋２は、柱主筋１の上端と、柱型枠３に対向設置される逆梁端部の上側の梁主筋との間に閉鎖型のフープ筋が差し込める隙間が形成できる高さとする。そして、これらの柱型枠３間にハーフプレキャストコンクリート造の順梁５を架設して、その端部を柱型枠３の上部に設置して下側の梁主筋６をパネルゾーンに配筋する。
【００１０】
次に、図２に示すように、この柱型枠３間に前記順梁５と直交した逆梁７を架設して、その端部を柱型枠３の上部に対向設置して、パネルゾーンにおいて上下の梁主筋８、９を接合する。この状態で柱主筋１上端と、上側の梁主筋８との間には閉鎖型のフープ筋を差し込める僅かな隙間１０が形成される。
【００１１】
次に、図３に示すように、上記の隙間１０から柱主筋１に高強度の閉鎖型のフープ筋１１を差し込み配筋するとともに、残りのフープ筋１１を上側の梁主筋８に番線１２などで吊り下げる。そして、順梁５の上側の梁主筋１３を配筋して先端部をパネルゾーンに配置する。
【００１２】
次に、図４に示すように、各順梁５間にハーフプレキャストコンクリート造の床板を設置するとともに（図示せず）、この床板とパネルゾーンとに梁床コンクリート１４を打設して、下階の柱鉄筋２に上階の柱鉄筋１５を接合する。
【００１３】
次に、図５に示すように、下階の柱鉄筋２に下階の柱鉄筋１５を接合した後、その接合部に梁主筋８に吊り下げた残りのフープ筋１１を配筋してパネルゾーンにコンクリート１６を打設する。このようにして、パネルゾーンに高強度の閉鎖型のフープ筋１１を配筋することができる。
【図面の簡単な説明】
【００１４】
【図１】（１）および（２）は柱型枠に順梁の端部を設置した断面図である。
【図２】（１）および（２）は柱型枠に順梁と逆梁の端部を設置した断面図である。
【図３】（１）および（２）は柱主筋に閉鎖型のフープ筋を差し込んだ断面図である。
【図４】（１）および（２）はパネルゾーンにコンクリートを打設した断面図である。
【図５】（１）および（２）は下階の柱鉄筋に上階の柱鉄筋を接合した断面図である。
【図６】従来の柱と梁の接合方法であり、（１）および（２）は柱型枠に順梁と逆梁の端部を設置した断面図である。
【図７】従来の柱と梁の接合方法であり、（１）および（２）は下階の柱鉄筋に上階の柱鉄筋を接合した断面図である。
【符号の説明】
【００１５】
１、１８  柱主筋
２、１５、１９、２８  柱鉄筋
３、２０  柱型枠
４、２１  柱コンクリート
５  順梁
６  順梁の下側の梁主筋
７、２４  逆梁
８、２５  逆梁の上側の梁主筋
９、２６  逆梁の下側の梁主筋
１０  隙間
１１  フープ筋
１２  番線
１３  順梁の上側の梁主筋
１４、２７  梁床コンクリート
１６  コンクリート
２３  割りフープ筋
【図１】
2006193942.tif 000003
【図２】
2006193942.tif 000004
【図３】
2006193942.tif 000005
【図４】
2006193942.tif 000006
【図５】
2006193942.tif 000007
【図６】
2006193942.tif 000008
【図７】
2006193942.tif 000009